(57)【要約】      （修正有）【課題】便器と便座の間に、位置ずれが生じないように簡単に設置することができ、尿漏れを良好に防止することができる尿漏れ防止具を提供する。【解決手段】尿漏れ防止具１０は、便器１００のリム１０２と便座１１０との間であって、使用者の放尿方向に設置される。尿漏れ防止具１０は、水溶性の素材によって形成した紐体を、複数本捩じり合わせた構成となっており、リム１０２と便座１１０との間に挟まれたときに圧縮されて隙間を埋めるようになる。尿漏れ防止具１０は、リム１０２と便座１１０との間に挟んだときに、便座１１０から端部１２、１４がはみ出るような長さとなっており、端部１２、１４を持つことで簡単に設置できる。【選択図】図１
0003235228.tif 000002
【実用新案登録請求の範囲】
【請求項１】
便器の前方において該便器と便座の間で挟まれる尿漏れ防止具であって、
前記便器と便座の間に設置したときに、便座からはみ出す長さとしたことを特徴とする尿漏れ防止具。
【請求項２】
水溶性の素材によって形成した紐体を、複数本捩じり合わせた構成としたことを特徴とする請求項１記載の尿漏れ防止具。
【考案の詳細な説明】
【技術分野】
【０００１】
本考案は、便器と便座との間に挟んで使用する尿漏れ防止具の改良に関する。
【背景技術】
【０００２】
従来の尿漏れ防止具としては、例えば、下記特許文献１記載の「トイレットペーパー資材製排尿こぼれ防止体」がある。これは、巻き上げ状態となっている水溶性素材の筒状トイレットペーパーを所定の長さだけ引出すか、又は所定の長さだけカットしたこぼれ防止部材を、所定の太さに幾重にも重ね合せるか、又は所定の太さに丸めて排尿こぼれ防止体とし、これを、便器本体のリムと便座の間に形成されている隙間に介在させるようにしたものである。
【先行技術文献】
【特許文献】
【０００３】
【特許文献１】実用新案登録第３２１２１８５号公報
【考案の概要】
【考案が解決しようとする課題】
【０００４】
しかしながら、上述した背景技術では、こぼれ防止部材が便座によって隠れてしまうことから、便器と便座の間に上手く挟み込めず、尿漏れを良好に防止できない恐れがある。
【０００５】
本考案は、以上のような点に着目したもので、便器と便座の間に、位置ずれが生じないように簡単に設置することができ、尿漏れを良好に防止することができる尿漏れ防止具を提供することを、その目的とする。
【課題を解決するための手段】
【０００６】
本考案は、便器の前方において該便器と便座の間で挟まれる尿漏れ防止具であって、前記便器と便座の間に設置したときに、便座からはみ出す長さとしたことを特徴とする。主要な形態の一つによれば、水溶性の素材によって形成した紐体を、複数本捩じり合わせた構成としたことを特徴とする。本考案の前記及び他の目的，特徴，利点は、以下の詳細な説明及び添付図面から明瞭になろう。
【考案の効果】
【０００７】
本考案によれば、便座よりもはみ出す長さとしたので、便器と便座の間に位置ずれが生じないように簡単に設置することができ、尿漏れを良好に防止することができる。
【図面の簡単な説明】
【０００８】
【図１】本考案の尿漏れ防止具の一実施例における取付時の様子を示す図である。
【図２】前記尿漏れ防止具の詳細と使用時の様子を示す図である。
【考案を実施するための形態】
【０００９】
以下、本考案を実施するための最良の形態を、実施例に基づいて詳細に説明する。
【実施例１】
【００１０】
図１には、本考案の尿漏れ防止具の一実施例が示されている。同図(A)に示すように、本実施例の尿漏れ防止具１０は、便器１００のリム１０２と便座１１０との間であって、前方位置ＰＦ側に挟まれるようになっている。すなわち、便座１１０に座った人の放尿方向に設けられる。尿漏れ防止具１０は、リム１０２と便座１１０との間に挟んだときに、便座１１０から端部１２，１４がはみ出るような長さとなっている。
【００１１】
尿漏れ防止具１０は、図２(A)に示すように、トイレットペーパーなどの水溶性の素材によって形成した紐体２０を、複数本捩じり合わせた構成となっており、リム１０２と便座１１０との間に挟まれたときに圧縮可能となっている。リム１０２と便座１１０との間には、便座１１０の裏面にゴム材１１２が設けられていることから、同図(B)に示すように、一定の隙間ＧＰがある。このため、リム１０２と便座１１０との間に尿漏れ防止具１０を挟んだ状態では、同図(C-1)のようになるが、使用者ＰＡが座ると同図(C-2)のように圧縮されて、リム１０２と便座１１０との間の隙間を埋めるようになる。
【００１２】
次に、本実施例の作用を説明すると、図１(A)に示すように、トイレを利用する使用者ＰＡは、便器１００のリム１０２と便座１１０の前方位置ＰＦに、尿漏れ防止具１０を挟み込む。このとき、尿漏れ防止具１０の端部１２，１４のいずれかを持つようにすることで、簡単に位置決めして挟み込むことができる。挟んだ状態では、図１(B)，図２(C-1)に示すようになり、尿漏れ防止具１０の端部１２，１４が便座１１０からはみ出た状態となる。使用者ＰＡが便座１１０に座ると、図２(C-2)に示すように、尿漏れ防止具１０が圧縮されて隙間を埋めるようになる。
【００１３】
この状態で使用者ＰＡが誤って正面方向に放尿したとすると、図２(C-2)に矢印で示すように、尿は、尿漏れ防止具１０に当たって便器１００内に落下するか、尿漏れ防止具１０に吸収されるようになる。これにより、便器外への尿漏れが良好に防止されるようになる。また、尿漏れ防止具１０は、その端部１２，１４を持って便器１００に落として流せばよい。尿漏れ防止具１０がないと、図２(B)に矢印で示すように便器外に尿が漏れる恐れがあるが、これが尿漏れ防止具１０で良好に防止されるようになる。
【００１４】
なお、本考案は、上述した実施例に限定されるものではなく、本考案の要旨を逸脱しない範囲内において種々変更を加え得ることができる。例えば、以下のものも含まれる。
(1)前記実施例で示した各部の形状や寸法は一例であり、必要に応じて適宜変更可能である。
(2)前記実施例では、尿漏れ防止具１０として、紐体２０を複数本捩じり合わせた例を示したが、左右両端の少なくとも一方が便座１１０からはみ出しており、便器１００と便座１１０との間の隙間を埋めることができ、水溶性でそのままトイレに流すことができれば、どのような素材・構造であってもよい。
【産業上の利用可能性】
【００１５】
本考案によれば、便座よりもはみ出す長さとしたので、便器と便座の間に位置ずれが生じないように簡単に設置することができ、尿漏れを良好に防止することができるので、尿漏れ防止具として好適である。
【符号の説明】
【００１６】
１０：尿漏れ防止具
１２，１４：端部
２０：紐体
１００：便器
１０２：リム
１１０：便座
１１２：ゴム材
ＧＰ：隙間
ＰＡ：使用者
ＰＦ：正面位置
【図１】
0003235228.tif 000003
【図２】
0003235228.tif 000004
【手続補正書】
【提出日】令和3年4月30日(2021.4.30)
【手続補正１】
【補正対象書類名】実用新案登録請求の範囲
【補正対象項目名】全文
【補正方法】変更
【補正の内容】
【実用新案登録請求の範囲】
【請求項１】
排尿時に便器と便座の隙間から便器外へ尿が漏れるのを防止するために、該便器と便座の間に挟んで前記隙間を埋める尿漏れ防止具であって、
前記便器と便座の間に設置したときに、便座からはみ出す長さとしたことを特徴とする尿漏れ防止具。
【請求項２】
水溶性の素材によって形成した紐体を、複数本捩じり合わせた構成としたことを特徴とする請求項１記載の尿漏れ防止具。
【手続補正２】
【補正対象書類名】明細書
【補正対象項目名】０００６
【補正方法】変更
【補正の内容】
【０００６】
本考案は、排尿時に便器と便座の隙間から便器外へ尿が漏れるのを防止するために、該便器と便座の間に挟んで前記隙間を埋める尿漏れ防止具であって、前記便器と便座の間に設置したときに、便座からはみ出す長さとしたことを特徴とする。主要な形態の一つによれば、水溶性の素材によって形成した紐体を、複数本捩じり合わせた構成としたことを特徴とする。本考案の前記及び他の目的，特徴，利点は、以下の詳細な説明及び添付図面から明瞭になろう。
【手続補正書】
【提出日】令和3年10月8日(2021.10.8)
【手続補正１】
【補正対象書類名】実用新案登録請求の範囲
【補正対象項目名】全文
【補正方法】変更
【補正の内容】
【実用新案登録請求の範囲】
【請求項１】
便器の前方において該便器と便座の間で挟まれる尿漏れ防止具であって、
水溶性の素材によって形成した紐体を、前記便器と便座の間に設置したときに便座からはみ出す長さとしたことを特徴とする尿漏れ防止具。
【請求項２】
前記紐体を、複数本捩じり合わせた構成としたことを特徴とする請求項１記載の尿漏れ防止具。
【手続補正２】
【補正対象書類名】明細書
【補正対象項目名】０００６
【補正方法】変更
【補正の内容】
【０００６】
本考案は、便器の前方において該便器と便座の間で挟まれる尿漏れ防止具であって、水溶性の素材によって形成した紐体を、前記便器と便座の間に設置したときに便座からはみ出す長さとしたことを特徴とする。主要な形態の一つによれば、前記紐体を、複数本捩じり合わせた構成としたことを特徴とする。本考案の前記及び他の目的，特徴，利点は、以下の詳細な説明及び添付図面から明瞭になろう。